(57)【要約】【課題】ウェブ部を把持する把持装置を使用しても、境界に非常に接近した位置にハット型土留鋼材を打設することができるハット型土留鋼材の打設方法を提供すること。【解決手段】  本発明のハット型土留鋼材の打設方法は、ウェブ部１１と、前記ウェブ部の両端に連接した一対のフランジ部１２とよりなる断面略Ｕ字形をなすＵ字部１３と、前記一対のフランジ部の一端からＵ字部の外側へ、前記ウェブ部と略平行に連接する一対の鍔部１４とより構成するハット型土留鋼材１０の打設方法において、前記ハット型土留鋼材の前記ウェブ部を把持装置２０によって把持し、前記鍔部が隣接地３との境界３１側に配置されるようにして前記ハット型土留鋼材を打設することを特徴とする方法である。【選択図】図１
2005090004.tif 000002
【特許請求の範囲】
【請求項１】
ウェブ部と、前記ウェブ部の両端に連接した一対のフランジ部とよりなる断面略Ｕ字形をなすＵ字部と、前記一対のフランジ部の一端からＵ字部の外側へ、前記ウェブ部と略平行に連接する一対の鍔部とより構成するハット型土留鋼材の打設方法において、
前記ハット型土留鋼材の前記ウェブ部を把持装置によって把持し、
前記鍔部が隣接地との境界側に配置されるようにして前記ハット型土留鋼材を打設することを特徴とする、
ハット型土留鋼材の打設方法。
【請求項２】
請求項１に記載するハット型土留鋼材の打設方法において、
前記ウェブ部を把持した把持装置は、前記鍔部よりも境界側に突出しない形状であることを特徴とする、
ハット型土留鋼材の打設方法。
【請求項３】
ウェブ部と、前記ウェブ部の両端に連接した一対のフランジ部とよりなる断面略Ｕ字形をなすＵ字部と、前記一対のフランジ部の一端からＵ字部の外側へ、前記ウェブ部と略平行に連接する一対の鍔部とより構成するハット型土留鋼材の打設方法において、
前記ハット型土留鋼材の前記ウェブ部に把持具を取り付けて把持装置によって把持し、
前記鍔部が隣接地との境界側に配置されるようにして前記ハット型土留鋼材を打設することを特徴とする、
ハット型土留鋼材の打設方法。
【発明の詳細な説明】
【技術分野】
【０００１】
本発明は、隣接地の境界近くに打設するハット型土留鋼材の打設方法に関するものである。
【背景技術】
【０００２】
従来から、建築・土木工事などで掘削部の崩落を防止する土留め工事や、締切り工事などに使用される土留鋼材として、断面がＵ形、Ｚ形、Ｈ形、ハット型などを呈するものがある。
これらは各種用途に応じて適宜選択して使用されるが、断面ハット型を呈するハット型土留鋼材ａにあっては、隣接地ｃとの境界ｄ付近で工事をおこなう近接施工用として利用されている。
ハット型土留鋼材ａを打設するには、特許文献１又は２に開示されているようなハット型土留鋼材ａの鍔部ａ１を把持する特注の専用機（図６の把持装置ｂ２参照）を使用する。現在、このような専用機は台数が非常に少なく、ハット型土留鋼材ａを多くの現場で同時期に施工することが難しかった。すなわち、ハット型土留鋼材ａは一対の鍔部ａ１を把持して打設することとされていたため、施工実績の多いＵ形断面の土留鋼材を把持する汎用型の把持装置ｂ１（図５参照）を使用することができず、鍔部ａ１を把持する専用機を特別に製作して使用していた。
【０００３】
【特許文献１】特開平１１−３３６０７６号公報
【特許文献２】特開平２−３００４１５号公報
【発明の開示】
【発明が解決しようとする課題】
【０００４】
前記した従来のハット型土留鋼材の打設方法にあっては、次のような問題点がある。
＜１＞ハット型土留鋼材を打設するには数少ない専用機を使用する必要があるため、同時に複数の現場で打設することが難しかった。
＜２＞通常のＵ形断面の土留鋼材を把持する汎用型の把持装置ｂ１を使用した場合、把持装置ｂ１が境界ｄを超え、隣接地ｃに侵入することになる（図５参照）。特に、隣接地ｃの境界ｄ間際まで構造物が構築されている場合は、把持装置ｂ１が隣接地ｃの構造物に接触してしまうため境界ｄに近接してハット型土留鋼材ａを打設することができなくなる。
【課題を解決するための手段】
【０００５】
上記のような課題を解決するために、本発明のハット型土留鋼材の打設方法は、ウェブ部と、前記ウェブ部の両端に連接した一対のフランジ部とよりなる断面略Ｕ字形をなすＵ字部と、前記一対のフランジ部の一端からＵ字部の外側へ、前記ウェブ部と略平行に連接する一対の鍔部とより構成するハット型土留鋼材の打設方法において、前記ハット型土留鋼材の前記ウェブ部を把持装置によって把持し、前記鍔部が隣接地との境界側に配置されるようにして前記ハット型土留鋼材を打設することを特徴とする方法である。
また、上記するハット型土留鋼材の打設方法において、前記ウェブ部を把持した把持装置は、前記鍔部よりも境界側に突出しない形状であることを特徴とする方法である。
さらに、ウェブ部と、前記ウェブ部の両端に連接した一対のフランジ部とよりなる断面略Ｕ字形をなすＵ字部と、前記一対のフランジ部の一端からＵ字部の外側へ、前記ウェブ部と略平行に連接する一対の鍔部とより構成するハット型土留鋼材の打設方法において、前記ハット型土留鋼材の前記ウェブ部に把持具を取り付けて把持装置によって把持し、前記鍔部が隣接地との境界側に配置されるようにして前記ハット型土留鋼材を打設することを特徴とする方法である。
【発明の効果】
【０００６】
本発明のハット型土留鋼材の打設方法は、上記した課題を解決するための手段により、次のような効果の少なくとも一つを得ることができる。
＜１＞ハット型土留鋼材のウェブ部を把持する汎用の把持装置を使用して施工を行うことができる。
＜２＞ハット型土留鋼材の鍔部よりも把持装置が隣接地の境界側に突出しないようにした場合は、境界に非常に接近した位置にハット型土留鋼材を打設することができる。
＜３＞コーナー部においても支障なくハット型土留鋼材を打設することができる。
【発明を実施するための最良の形態】
【０００７】
以下、図面を参照しながら本発明の実施の形態について説明する。
【０００８】
＜１＞ハット型土留鋼材
ハット型土留鋼材１０は、ウェブ部１１と、ウェブ部１１の両端に連接した一対のフランジ部１２、１２とよりなる断面略Ｕ字形をなすＵ字部１３と、そのフランジ部１２、１２の一端からＵ字部１３の外側へ、ウェブ部１１と略平行に連接した一対の鍔部１４、１４とよりなる鋼材で、一対のフランジ部１２、１２は、外側に向けてやや傾斜しており、また鍔部１４、１４のそれぞれの先端部には、隣り合うハット型土留鋼材１０と連結する非対象形状の連結部１５、１５を設けている。
【０００９】
＜２＞把持装置
把持装置２０は、施工実績の多いＵ形土留鋼材を把持するためのチャック等の公知の把持装置を使用することができる。把持装置２０は、杭打ち機に取り付けてハット型土留鋼材１０の打設や引抜の際に使用する。杭打ち機には、リーダー式３点支持杭打機（オーガー）や、クレーンで吊下げて使用する振動式杭打ち機（バイブロ）などが使用できる。
本発明では、把持装置２０の爪２１，２２でハット型土留鋼材１０のウェブ１１を把持する。このとき、Ｕ字部１３の内側に挿入される爪２２及びその直上の把持装置２０の外殻が、ハット型土留鋼材１０の対の鍔部１４を結ぶ仮想面よりはみ出さないようにするのが好ましい。このように構成することで、鍔部１４を境界３１に限界まで近づけて打設することができる。
【実施例１】
【００１０】
＜１＞ハット型土留鋼材の把持
本実施例においては、杭打ち機としてオーガーを使用して説明する。
最初にオーガーに把持装置２０を取り付ける。次に、把持装置２０の爪２１，２２でハット型土留鋼材１０のウェブ部１１を把持する。
従来、ハット型土留鋼材１０を打設する場合は、図６に示すように専用の把持装置ｂ２を使用してウェブ部ａ２を境界ｄ側に向けて打設していた。本発明では、図２に示すようにこの向きを反対にして、隣接地３との境界３１側に鍔部１４，１４が配置されるようにする。そして、ハット型土留鋼材１０のウェブ部１１を把持する。
【００１１】
＜２＞ハット型土留鋼材の打設
ハット型土留鋼材１０のウェブ部１１を把持装置２０で把持し、鍔部１４，１４が境界３１側に向いていることを確認した後に、所定の場所へハット型土留鋼材１０を打設する。
把持装置２０にハット型土留鋼材１０の鍔部１４より境界３１側に突出しない装置を使用すれば、ハット型土留鋼材１０を境界３１から５ｃｍ程度以下の非常に近い位置に打設することが可能になる。
なお、以上ではハット型土留鋼材１０を打設する場合について説明したが、打設時と同様にしてハット型土留鋼材１０のウェブ部１１を把持装置２０で把持して引抜きをおこなうことができる。引抜き時は、把持装置２０をクレーンで吊り上げるだけでも良い。
【００１２】
＜３＞コーナー部の施工について
２枚のハット型土留鋼材１０を直角、又はそれに近い角度で打設するコーナー部において、本発明の方法は優れた効果を発揮する。
すなわち、本発明においては、ハット型土留鋼材１０の鍔部１４ではなくウェブ部１１を把持するため、コーナー部においても打設済みのハット型土留鋼材１０に把持装置２０が接触することがなく、最後までハット型土留鋼材１０を地中に打ち込むことができる。
【実施例２】
【００１３】
実施例２では、ハット型土留鋼材１０のウェブ部１１に把持具１６を取り付けたハット型土留鋼材１０の打設方法について説明する。
把持具１６には、Ｈ型鋼材等を短く切った部材が使用できる。ハット型土留鋼材１０の上端部付近のウェブ部１１に把持具１６をボルト又は溶接等によって取り付ける。把持具１６は鍔部１４と反対側のウェブ部１１の表面に取り付ける。把持具１６の上端は、ハット型土留鋼材１０の上端よりも突出していても良い。
把持具１６を設けた場合は、把持装置２０によって把持具１６を把持してハット型土留鋼材１０の打設をおこなう。
【図面の簡単な説明】
【００１４】
【図１】本発明のハット型土留鋼材の打設方法の実施例の説明図。
【図２】ハット型土留鋼材の打設方法の実施例の平面図。
【図３】ハット型土留鋼材を連続して打設した実施例の平面図。
【図４】把持具を取り付けたハット型土留鋼材の打設方法の実施例の斜視図。
【図５】汎用把持装置を使用して従来の方向でハット型土留鋼材を打設する実施例の説明図。
【図６】専用の把持装置を使用した従来のハット型土留鋼材を打設する実施例の説明図。
【符号の説明】
【００１５】
１０・・ハット型土留鋼材
１１・・ウェブ部
１２・・フランジ部
１３・・Ｕ字部
１４・・鍔部
１６・・把持具
２０・・把持装置
３・・・隣接地
３１・・境界
【図１】
2005090004.tif 000003
【図２】
2005090004.tif 000004
【図３】
2005090004.tif 000005
【図４】
2005090004.tif 000006
【図５】
2005090004.tif 000007
【図６】
2005090004.tif 000008